【手続補正書】
【提出日】平成20年3月11日(2008.3.11)
【手続補正１】
【補正対象書類名】明細書
【補正対象項目名】特許請求の範囲
【補正方法】変更
【補正の内容】
【特許請求の範囲】
【請求項１】  １つのまとまりを有する入力データが入力される入力手段と、
上記入力データを発話する複数の話者の音素データを保存する保存手段と、
上記入力データに応じて発話する話者を選択する選択手段と、
上記選択手段により選択された話者の音素データを上記保存手段より検索し抽出する検索手段と、
上記検索手段により検索された話者の音素データを結合して、上記入力手段より入力された入力データを合成音に変換する音声合成処理手段と、
上記選択手段により音素データが選択されたとき、課金処理を行う課金処理手段とを備える音声変換システム。
【請求項２】  上記入力データは、音声データ又は文字データである請求項１記載の音声変換システム。
【請求項３】  上記保存手段には、更に、上記話者の韻律データが保存されており、
上記検索手段は、上記選択手段により選択された話者の音素データと共に韻律データを検索し、
上記音声合成処理手段は、上記検索手段により検索された音素データと韻律データとにより、上記入力データを、該入力データに応じた合成音に変換する請求項１記載の音声変換システム。
【請求項４】  １つのまとまりを有する入力データを入力手段より入力するステップと、
保存手段に記憶されている上記入力データを発話する複数の話者の音素データの中から所望の音素データを選択手段で選択するステップと、
上記選択手段で選択された音素データを、検索手段で上記保存手段に記憶されている複数の音素データの中から検索し抽出するステップと、
上記検索手段により抽出された話者の音素データを結合して、上記入力手段より入力された入力データを、音声合成処理手段で合成音に変換するステップと、
上記合成音が生成されたとき、課金処理を行うステップとを有する音声変換方法。
【請求項５】  他の装置に入力された１つのまとまりを有する入力データを発話する話者の音素データを保存する保存手段と、
上記他の装置より送信された話者を選択する選択データを受信する受信手段と、
上記受信手段が上記選択データを受信したとき、この選択データに基づいて上記入力データを発話する話者の音素データを検索し抽出する検索手段と、
上記検索手段で検索された話者の音素データを上記他の装置に送信する送信手段と、
上記他の装置が上記送信手段より送信した音素データを受信したとき、課金処理を行う課金処理手段とを備える音声変換装置。
【請求項６】  上記入力データは、音声データ又は文字データである請求項５記載の音声変換装置。
【請求項７】  上記保存手段には、更に、上記話者の韻律データが保存されており、
上記検索手段は、上記選択手段により選択された話者の音素データと共に韻律データを検索し、
上記送信手段は、上記他の装置に、上記音素データと共に上記韻律データを送信する請求項５記載の音声変換装置。
【請求項８】  更に、上記受信手段が、上記他の装置に入力された上記入力データを上記選択データと共に受信したとき、上記検索手段により検索された話者の音素データを結合して、上記受信手段で受信した入力データを合成音に変換する音声合成処理手段を備え、
上記送信手段は、上記音素データに代わって上記合成音を上記他の装置に送信し、
上記課金処理手段は、上記他の装置が上記送信手段より送信した合成音を受信したとき、課金処理を行う請求項５記載の音声変換装置。
【請求項９】  他の装置に入力された１つのまとまりを有する入力データを発話する話者を選択する選択データを受信手段で受信するステップと、
上記受信手段が上記選択データを受信したとき、この選択データに基づいて上記データを発話する話者の音素データを検索手段で検索し抽出するステップと、
上記検索手段で検索された話者の音素データを送信手段より上記他の装置に送信するステップと、
上記他の装置が上記送信手段より送信した音素データを受信したとき、課金処理手段が課金処理を行うステップとを有する音声変換方法。
【請求項１０】  １つのまとまりを有する入力データが入力される入力手段と、
上記入力データに応じて発話する話者を選択する選択手段と、
上記選択手段で選択された話者の選択データを他の装置に送信する送信手段と、
上記送信手段より送信された選択データ応じた話者の音素データを受信する受信手段と、
上記受信手段で受信した話者の音素データを結合して、上記入力手段より入力された入力データを合成音に変換する音声合成処理手段と、
上記受信手段が他の装置から送信された音素データを受信したとき、課金処理を行う課金処理手段とを備える音声変換装置。
【請求項１１】  上記入力データは、音声データ又は文字データである請求項１０記載の音声変換装置。
【請求項１２】  上記受信手段は、上記音素データと共と話者の韻律データを受信し、
上記音声合成処理手段は、上記音素データと上記韻律データとにより、上記入力データを、該入力データに応じた合成音に変換する請求項１０記載の音声変換装置。
【請求項１３】  １つのまとまりを有する入力データが入力手段より入力されるステップと、
上記入力データに応じて発話する話者を選択手段により選択するステップと、
上記選択手段で選択された話者の選択データを送信手段より他の装置に送信するステップと、
上記送信手段より送信された選択データに応じた話者の音素データを受信手段で受信するステップと、
上記受信手段で受信した話者の音素データを結合して、上記入力手段より入力された入力データを合成音に変換するステップと、
上記受信手段が他の装置から送信された音素データを受信したとき、課金処理手段で課金処理を行うステップとを有する音声変換方法。
【請求項１４】  受信手段で受信した他の装置より送信された話者を選択する選択データに基づいて、上記他の装置に入力された１つのまとまりを有する入力データを発話する話者の音素データを保存手段の中から検索手段で検索抽出するステップと、
上記他の装置が送信手段より送信した音素データを受信したとき、課金処理手段で課金処理を行うステップとをコンピュータに実行させるためのコンピュータプログラム。
【請求項１５】  上記入力データは、音声データ又は文字データである請求項１４記載のコンピュータプログラム。
【請求項１６】  上記保存手段には、更に、上記話者の韻律データが保存されており、
上記検索手段で、上記選択手段により選択された話者の音素データと共に韻律データを検索抽出するステップをコンピュータに実行させるための請求項１４記載のコンピュータプログラム。
【請求項１７】  更に、上記受信手段が上記他の装置に入力された上記入力データを上記選択データと共に受信したとき、上記検索手段により検索された話者の音素データを結合して、上記受信手段で受信した入力データを音声合成処理手段で合成音に変換するステップと、
上記課金処理手段で、上記他の装置が上記送信手段より送信した合成音を受信したとき、課金処理を行うステップとをコンピュータに実行させるための請求項１４記載のコンピュータプログラム。
【請求項１８】  脚本データを話者の音素データとを結合して変換した合成音を蓄積する蓄積手段と、
上記蓄積手段に蓄積された合成音の中から選択した合成音を要求する要求手段と、
上記要求手段からの要求に応じて上記蓄積手段に蓄積されている合成音を読み出し送信する送信手段と、
上記要求手段で要求した上記送信手段より送信された合成音を受信する受信手段と、
上記要求手段での要求に応じて上記蓄積手段より合成音を上記受信手段が受信したとき、課金処理を行う課金処理手段とを備えるデータ通信システム。
【請求項１９】  上記蓄積手段に蓄積された上記脚本データの合成音は、上記音素データと更に韻律データに基づいて生成されたものである請求項１８記載のデータ通信システム。
【請求項２０】  上記脚本データを発話する話者の音素データを保存する保存手段と、
上記保存手段に保存された音素データの中から所定の話者の音素データを検索する検索手段と、
上記検索手段で検索された話者の音素データを結合して、上記脚本データを合成音に変換する音声合成処理手段とを備え、
上記蓄積手段に蓄積された脚本データの合成音は、上記要求手段からの要求に応じて上記検索手段が上記保存手段の中から要求に応じた音素データを検索し、上記音声合成処理手段が上記検索手段が検索した音素データを結合して上記脚本データを変換したものである請求項１８記載のデータ通信システム。
【請求項２１】  蓄積手段に蓄積された脚本データを話者の音素データを結合して生成した合成音の中から選択した合成音を要求手段で要求するステップと、
上記要求手段からの要求に応じて上記蓄積手段に蓄積されている合成音を読み出し送信するステップと、
上記送信手段より送信された上記要求手段で要求した合成音を受信手段で受信するステップと、
上記合成音を上記受信手段で受信したとき、課金処理を行うステップとを有するデータ通信方法。
【請求項２２】  脚本データが複数の話者の音素データを結合して変換した複数の合成音を蓄積する蓄積手段と、
他の装置より送信された上記蓄積手段に蓄積された合成音を選択する選択データを受信する受信手段と、
上記受信手段が上記選択データを受信したとき、この選択データに基づいて上記蓄積手段に蓄積された合成音を検索し、この検索された合成音を上記他の装置に送信する送信手段と、
上記他の装置が上記送信手段より送信された合成音を受信したとき、課金処理を行う課金処理手段とを備えるデータ通信装置。
【請求項２３】  上記蓄積手段に蓄積された上記脚本データの合成音は、上記音素データと更に韻律データに基づいて生成されたものである請求項２２記載のデータ通信装置。
【請求項２４】  上記脚本データを発話する話者の音素データを保存する保存手段と、
上記保存手段に保存された音素データの中から所定の話者の音素データを検索する検索手段と、
上記検索手段で検索された話者の音素データを結合して、上記脚本データを合成音に変換する音声合成処理手段とを備え、
上記蓄積手段に蓄積された脚本データの合成音は、上記要求手段からの要求に応じて上記検索手段が上記保存手段の中から要求に応じた音素データを検索し、上記音声合成処理手段が上記検索手段が検索した音素データを結合して上記脚本データを変換したものである請求項２２記載のデータ通信装置。
【請求項２５】  他の装置より送信された上記蓄積手段に蓄積された合成音を選択する選択データを受信手段で受信するステップと、
上記受信手段が上記選択データを受信したとき、この選択データに基づいて上記蓄積手段に蓄積された合成音を検索し、この検索された合成音を送信手段で上記他の装置に送信するステップと、
上記他の装置が上記送信手段より送信された合成音を受信したとき、課金処理手段で課金処理を行うステップとを有するデータ通信方法。
【請求項２６】  脚本データと脚本データを発話する話者の音素データが保存された保存手段と、
上記脚本データを発話する話者を選択する選択手段と、
上記選択手段で選択された話者の音素データを上記保存手段より検索し抽出する検索手段と、
上記検索手段により検索された話者の音素データを結合して、上記脚本データを合成音に変換する音声合成処理手段と、
上記話者に対応する音素データが選択され上記合成音に変換されたとき、課金処理を行う課金処理手段とを備える音声変換システム。
【請求項２７】  上記脚本データは、上記保存手段に分類されて保存されており、
上記選択手段は、上記話者と共に複数の脚本データの中から所定の脚本データを選択する請求項２６記載の音声変換システム。
【請求項２８】  上記脚本データは、音声データ又は文字データである請求項２６記載の音声変換システム。
【請求項２９】  上記保存手段には、話者の音素データに対応して韻律データが保存されており、
上記検索手段は、上記選択手段により選択された話者の音素データと共に韻律データを検索し、
上記音声合成処理手段は、上記検索手段により検索された音素データと韻律データとにより、上記脚本データを、該脚本データに応じた合成音に変換する請求項２６記載の音声変換システム。
【請求項３０】  脚本データと脚本データを発話する話者の音素データが保存された保存手段の中から上記脚本データを選択手段で発話する話者を選択するステップと、
上記選択手段で選択された話者の音素データを検索手段で上記保存手段より検索し抽出するステップと、
上記検索手段により検索された話者の音素データを結合して、上記脚本データを、音声合成処理手段で合成音に変換するステップと、
上記話者に対応する音素データが選択され上記合成音に変換されたとき、課金処理手段で課金処理を行うステップとを有する音声変換方法。
【請求項３１】  脚本データと脚本データを発話する話者の音素データが保存された保存手段と、
他の装置より送信された上記保存手段に保存されている音素データの話者を選択する選択データを受信する受信手段と、
上記受信手段が上記選択データを受信したとき、この選択データに基づいて上記保存手段より上記音素データを検索し抽出する検索手段と、
上記検索手段で検索された話者の音素データを上記他の装置に送信する送信手段と、
上記他の装置が上記送信手段より送信した音素データと上記脚本データとを受信したとき、課金処理を行う課金処理手段とを備える音声変換装置。
【請求項３２】  上記脚本データは、上記保存手段に分類されて保存されており、上記受信手段は、話者の選択データと共に脚本の選択データを受信する請求項３１記載の音声変換装置。
【請求項３３】  上記脚本データは、音声データ又は文字データである請求項３１記載の音声変換装置。
【請求項３４】  上記保存手段には、更に、上記話者の韻律データが保存されており、
上記検索手段は、上記選択手段により選択された話者の音素データと共に韻律データを検索し、
上記送信手段は、上記他の装置に、上記音素データと共に上記韻律データを送信する請求項３１記載の音声変換装置。
【請求項３５】  更に、上記検索手段により検索された話者の音素データを結合して、上記脚本データを合成音に変換する音声合成処理手段を備え、
上記送信手段は、上記音素データに代わって上記合成音を上記他の装置に送信し、
上記課金処理手段は、上記他の装置が上記送信手段より送信した合成音を受信したとき、課金処理を行う請求項３１記載の音声変換装置。
【請求項３６】  他の装置より送信された上記保存手段に保存されている音素データの話者を選択する選択データを受信手段で受信するステップと、
上記受信手段が上記選択データを受信したとき、この選択データに基づいて上記保存手段より上記音素データを検索手段で検索し抽出するステップと、
上記検索手段で検索された話者の音素データを送信手段で上記他の装置に送信するステップと、
上記他の装置が上記送信手段より送信した音素データを受信したとき、課金処理手段で課金処理を行うステップとを有する音声変換方法。
【請求項３７】  脚本データを発話する話者を選択する選択手段と、
上記選択手段で選択された話者の選択データを他の装置に送信する送信手段と、
上記送信手段より送信された選択データ応じた話者の音素データと上記脚本データとを受信する受信手段と、
上記送信手段より送信された選択データに基づいて、上記脚本データを合成音に変換する音声合成処理手段と、
上記受信手段が他の装置から送信された音素データと脚本データを受信したとき、課金処理を行う課金処理手段とを備える音声変換装置。
【請求項３８】  上記脚本データは、音声データ又は文字データである請求項３７記載の音声変換装置。
【請求項３９】  上記受信手段は、上記音素データと共と話者の韻律データを受信し、
上記音声合成処理手段は、上記音素データと上記韻律データとに基づいて、上記入力データを合成音に変換する請求項３７記載の音声変換装置。
【請求項４０】  受信手段で受信した他の装置より送信された話者を選択する選択データに基づいて、保存手段に保存されている脚本データを発話する話者の音素データを保存手段の中から検索手段で検索抽出するステップと、
上記他の装置が送信手段より送信した音素データと脚本データとを受信したとき、課金処理手段で課金処理を行うステップとをコンピュータに実行させるためのコンピュータプログラム。
【請求項４１】  上記脚本データは、上記保存手段に分類されて保存されており、上記検索手段で、上記音素データを検索すると共に上記受信手段で受信した脚本データの選択データに基づいて上記保存手段の中から脚本データを検索抽出するステップをコンピュータに実行させるための請求項４０記載のコンピュータプログラム。
【請求項４２】  上記脚本データは、音声データ又は文字データである請求項４０記載のコンピュータプログラム。
【請求項４３】  上記保存手段には、更に、上記話者の韻律データが保存されており、
上記検索手段で、上記選択手段により選択された話者の音素データと共に韻律データを検索抽出するステップをコンピュータに実行させるための請求項４０記載のコンピュータプログラム。
【請求項４４】  更に、上記検索手段により検索された話者の音素データを結合して、上記脚本データを音声合成処理手段で合成音に変換するステップと、
上記課金処理手段で、上記他の装置が上記送信手段より送信した合成音を受信したとき、課金処理を行うステップとをコンピュータに実行させるための請求項４０記載のコンピュータプログラム。
【請求項４５】  脚本データが入力される入力手段と、
上記脚本データに応じて発話する話者の音素データを保存する保存手段と、
上記脚本データを発話する話者を選択する選択手段と、
上記選択手段により選択された話者の音素データを上記保存手段より検索し抽出する検索手段と、
上記検索手段により検索された話者の音素データを結合して、上記入力手段より入力された脚本データを合成音に変換する音声合成処理手段と、
上記選択手段により音素データが選択されたとき、課金処理を行う課金処理手段と、
上記脚本データが複数の話者の音素データに基づいて変換された合成音を蓄積する蓄積手段と、
上記選択手段により選択された話者の合成音を上記蓄積手段より読み出して試聴する試聴手段とを備える音声変換システム。
【請求項４６】  上記脚本データは、音声データ又は文字データである請求項４５記載の音声変換システム。
【請求項４７】  上記保存手段には、更に、上記話者の韻律データが保存されており、
上記検索手段は、上記選択手段により選択された話者の音素データと共に韻律データを検索し、
上記音声合成処理手段は、上記検索手段により検索された音素データと韻律データとに基づいて、上記脚本データを、該脚本データに応じた合成音に変換する請求項４５記載の音声変換システム。
【請求項４８】  脚本データを入力手段より入力するステップと、
保存手段に記憶されている上記脚本データを発話する複数の話者の音素データの中から所望の音素データを選択手段で選択するステップと、
上記選択された音素データを、検索手段により上記保存手段に記憶されている複数の音素データの中から検索し抽出するステップと、
上記抽出された話者の音素データを結合して上記入力手段より入力された脚本データを、音声合成処理手段により合成音に変換するステップと、
上記合成音が生成されたとき、課金処理手段で課金処理を行うステップと、
上記選択手段により選択された話者の合成音を、試聴手段で蓄積手段より読み出して試聴するステップとを有する音声変換方法。
【請求項４９】  他の装置に入力された脚本データを発話する話者の音素データを保存する保存手段と、
脚本データが複数の話者の音素データに基づいて変換された合成音を蓄積する蓄積手段と、
上記他の装置より送信された上記保存手段に保存されている話者を選択する選択データを受信する受信手段と、
上記受信手段が上記選択データを受信したとき、この選択データに基づいて上記脚本データを発話する話者の音素データを検索し抽出する検索手段と、
上記検索手段で検索された話者の音素データを上記他の装置に送信すると共に、上記選択データにより選択された話者の合成音を上記他の装置に送信する送信手段と、
上記他の装置が上記送信手段より送信した音素データを受信したとき、課金処理を行う課金処理手段とを備える音声変換装置。
【請求項５０】  上記脚本データは、音声データ又は文字データである請求項４９記載の音声変換装置。
【請求項５１】  上記保存手段には、更に、上記話者の韻律データが保存されており、
上記検索手段は、上記選択手段により選択された話者の音素データと共に韻律データを検索し、
上記送信手段は、上記他の装置に、上記音素データと共に上記韻律データを送信する請求項４９記載の音声変換装置。
【請求項５２】  更に、上記受信手段が上記他の装置に入力された上記脚本データを上記選択データと共に受信したとき、上記検索手段により検索された話者の音素データを結合して上記受信手段で受信した脚本データを合成音に変換する音声合成処理手段を備え、
上記送信手段は、上記音素データに代わって上記合成音を上記他の装置に送信し、
上記課金処理手段は、上記他の装置が上記送信手段より送信した合成音を受信したとき、課金処理を行う請求項４９記載の音声変換装置。
【請求項５３】  他の装置より送信された脚本データを発話する話者を選択する選択データを受信手段で受信するステップと、
上記受信手段が上記選択データを受信したとき、この選択データに基づいて上記脚本データを発話する話者の音素データを検索手段で検索し抽出するステップと、
上記検索手段で検索された話者の音素データを送信手段より上記他の装置に送信するステップと、
上記選択された話者の蓄積手段に蓄積されている合成音を上記他の装置より試聴可能にするステップと、
上記他の装置が上記送信手段より送信した音素データを受信したとき、課金処理手段が課金処理を行うステップとを有する音声変換方法。
【請求項５４】  脚本データが入力される入力手段と、
上記脚本データに応じて発話する話者を選択する選択手段と、
上記選択手段で選択された話者の選択データを他の装置に送信する送信手段と、
上記送信手段より送信された選択データ応じた話者の音素データを受信する受信手段と、
上記受信手段で受信した話者の音素データを結合して、上記入力手段より入力された脚本データを合成音に変換する音声合成処理手段と、
上記選択手段で選択した話者の合成音を上記受信手段で受信し試聴する試聴手段と、
上記受信手段が他の装置から送信された音素データを受信したとき、課金処理を行う課金処理手段とを備える音声変換装置。
【請求項５５】  上記脚本データは、音声データ又は文字データである請求項５４記載の音声変換装置。
【請求項５６】  上記受信手段は、上記音素データと共と話者の韻律データを受信し、
上記音声合成処理手段は、上記音素データと上記韻律データとに基づいて、上記脚本データを合成音に変換する請求項５４記載の音声変換装置。
【請求項５７】  脚本データが入力手段より入力されるステップと、
上記脚本データに応じて発話する話者を選択手段により選択するステップと、
上記選択手段で選択された話者の選択データを送信手段より他の装置に送信するステップと、
上記送信手段より送信された選択データに応じた話者の音素データを受信手段で受信するステップと、
上記受信手段で受信した話者の音素データを結合して、上記入力手段より入力された脚本データを合成音に変換するステップと、
上記選択手段で選択した話者の合成音を試聴手段で試聴するステップと、
上記受信手段が他の装置から送信された音素データを受信したとき、課金処理手段で課金処理を行うステップとを有する音声変換方法。
【請求項５８】  受信手段で受信した他の装置より送信された話者を選択する選択データに基づいて、上記他の装置に入力された脚本データを発話する話者の音素データを保存手段の中から検索手段で検索抽出するステップと、
上記選択データを受信したとき、選択データの話者の合成音を試聴手段で試聴可能にするステップと、
上記他の装置が送信手段より送信した音素データを受信したとき、課金処理手段で課金処理を行うステップとをコンピュータに実行させるためのコンピュータプログラム。
【請求項５９】  上記脚本データは、音声データ又は文字データである請求項５８記載のコンピュータプログラム。
【請求項６０】  上記保存手段には、更に、上記話者の韻律データが保存されており、
上記検索手段で、上記選択手段により選択された話者の音素データと共に韻律データを検索抽出するステップをコンピュータに実行させるための請求項５８記載のコンピュータプログラム。
【請求項６１】  更に、上記受信手段が上記他の装置に入力された上記脚本データを上記選択データと共に受信したとき、上記検索手段により検索された話者の音素データを結合して、上記受信手段で受信した脚本データを音声合成処理手段で合成音に変換するステップと、
上記課金処理手段で、上記他の装置が上記送信手段より送信した合成音を受信したとき、課金処理を行うステップとをコンピュータに実行させるための請求項５８記載のコンピュータプログラム。
【手続補正２】
【補正対象書類名】明細書
【補正対象項目名】０００１
【補正方法】変更
【補正の内容】
【０００１】
【発明の属する技術分野】
本発明は、ユーザ所望の音素データに基づいて、脚本データ等に応じた合成音を生成することができる音声合成システムに関する。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】変更
【補正の内容】
【００１５】
更にまた、本発明に係るコンピュータプログラムは、上述した課題を解決すべく、受信手段で受信した他の装置より送信された話者を選択する選択データに基づいて、他の装置に入力された１つのまとまりを有する入力データを発話する話者の音素データを保存手段の中から検索手段で検索抽出するステップと、他の装置が送信手段より送信した音素データを受信したとき、課金処理手段で課金処理を行うステップとをコンピュータに実行させる。
【手続補正５】
【補正対象書類名】明細書
【補正対象項目名】００２５
【補正方法】削除
【補正の内容】
【手続補正６】
【補正対象書類名】明細書
【補正対象項目名】００２６
【補正方法】変更
【補正の内容】
【００２６】
更にまた、本発明に係るコンピュータプログラムは、上述した課題を解決すべく、受信手段で受信した他の装置より送信された話者を選択する選択データに基づいて、保存手段に保存されている脚本データを発話する話者の音素データを保存手段の中から検索手段で検索抽出するステップと、他の装置が送信手段より送信した音素データと脚本データとを受信したとき、課金処理手段で課金処理を行うステップとをコンピュータに実行させる。
【手続補正７】
【補正対象書類名】明細書
【補正対象項目名】００２９
【補正方法】変更
【補正の内容】
【００２９】
更にまた、本発明に係る音声変換装置は、上述した課題を解決すべく、他の装置に入力された脚本データを発話する話者の音素データを保存する保存手段と、脚本データが複数の話者の音素データに基づいて変換された合成音を蓄積する蓄積手段と、他の装置より送信された保存手段に保存されている話者を選択する選択データを受信する受信手段と、受信手段が選択データを受信したとき、この選択データに基づいて脚本データを発話する話者の音素データを検索し抽出する検索手段と、検索手段で検索された話者の音素データを他の装置に送信すると共に、選択データにより選択された話者の合成音を他の装置に送信する送信手段と、他の装置が送信手段より送信した音素データを受信したとき、課金処理を行う課金処理手段とを備える。
【手続補正８】
【補正対象書類名】明細書
【補正対象項目名】００３２
【補正方法】変更
【補正の内容】
【００３２】
更にまた、本発明に係る音声変換方法は、上述した課題を解決すべく、脚本データが入力手段より入力されるステップと、脚本データに応じて発話する話者を選択手段により選択するステップと、選択手段で選択された話者の選択データを送信手段より他の装置に送信するステップと、送信手段より送信された選択データに応じた話者の音素データを受信手段で受信するステップと、受信手段で受信した話者の音素データを結合して、入力手段より入力された脚本データを合成音に変換するステップと、選択手段で選択した話者の合成音を試聴手段で試聴するステップと、受信手段が他の装置から送信された音素データを受信したとき、課金処理手段で課金処理を行うステップとを有する。
【手続補正９】
【補正対象書類名】明細書
【補正対象項目名】００３３
【補正方法】削除
【補正の内容】
【手続補正１０】
【補正対象書類名】明細書
【補正対象項目名】００３４
【補正方法】変更
【補正の内容】
【００３４】
更にまた、本発明に係るコンピュータプログラムは、上述した課題を解決すべく、受信手段で受信した他の装置より送信された話者を選択する選択データに基づいて、他の装置に入力された脚本データを発話する話者の音素データを保存手段の中から検索手段で検索抽出するステップと、選択データを受信したとき、選択データの話者の合成音を試聴手段で試聴可能にするステップと、他の装置が送信手段より送信した音素データを受信したとき、課金処理手段で課金処理を行うステップとをコンピュータに実行させる。
【手続補正１１】
【補正対象書類名】明細書
【補正対象項目名】００３５
【補正方法】変更
【補正の内容】
【００３５】
【発明の実施の形態】
以下、本発明が適用された音声合成システムについて、図面を参照して説明する。図１に示すように、音声合成システム１は、複数の俳優、声優等の音素データが蓄積されたサーバ装置１０と、このサーバ装置１０にアクセスして所望の音素データをダウンロードすることができる端末装置３０とを備える。サーバ装置１０と端末装置３０とは、ＩＳＤＮ（Integrated Services Digital Network）回線網、ＣＡＴＶ（Cable Television）回線網、光ケーブル回線網等のネットワーク２を介して接続されおり、ＴＣＰ／ＩＰ（transmission control protocol/internet protocol）、ＦＴＰ（file transfer protocol）等の伝送プロトコルに従ってデータのやり取りを行うようになっている。また、サーバ装置１０は、決済センタ３に専用線を介して接続されており、ユーザが音素データ、合成音等をダウンロードしたときに、課金処理し、課金データを決済センタ３に送信することができるようになっている。
【手続補正１２】
【補正対象書類名】明細書
【補正対象項目名】００３７
【補正方法】変更
【補正の内容】
【００３７】
なお、サーバ装置１０が端末装置３０に提供する音素データは、どの様なものの音素データであってもよい。例えば、音素データは、国籍を問わず有名人や芸能人（俳優、声優、政治家、男優、女優・・・）の音素データ、世代別（幼児、小学生、中学生、高校生、大学生、社会人・・・）の音素データであってもよい。また、音素データは、頭蓋骨や絵画から再現した歴史上の人物のものや映画、アニメーション中のキャラクタのものであってもよく、また、遺跡の銅像、石像等のものであってもよい。すなわち、サーバ装置１０に蓄積されている音素データは、サーバ装置１０にアクセスする端末装置３０の所有者であるユーザの嗜好によって決定される。
【手続補正１３】
【補正対象書類名】明細書
【補正対象項目名】００４０
【補正方法】変更
【補正の内容】
【００４０】
受信部１１は、端末装置３０より送信された話者の選択データ等を受信する。そして、受信部１１は、選択データを受信したとき、第１乃至第５の記憶部１２〜１４、１８、２０に構築された各データベースを検索する際の検索条件として検索部１５に出力する。また、受信部１１は、音素データ等の購入データを受信したとき、ユーザに対して課金処理を行うためこの購入データを課金処理部１９に出力する。
【手続補正１４】
【補正対象書類名】明細書
【補正対象項目名】００５１
【補正方法】変更
【補正の内容】
【００５１】
送信部１７は、検索部１５より選択データに応じた第２の記憶部１３に保存されている合成音が入力されると共に、音声合成処理部１６より音声合成処理部１６で生成された合成音が入力され、これら合成音を端末装置３０に送信する。また、送信部１７は、蓄積部２１に蓄積されている本システムを提供する画像データ等を端末装置３０に送信する。
【手続補正１５】
【補正対象書類名】明細書
【補正対象項目名】００６０
【補正方法】変更
【補正の内容】
【００６０】
送信部３９は、操作部３８より入力された選択データやダウンロード要求等をサーバ装置１０に送信する。
【手続補正１６】
【補正対象書類名】明細書
【補正対象項目名】００９７
【補正方法】変更
【補正の内容】
【００９７】
ステップＳ６３において、端末装置３０は、脚本データを選択する。具体的に、脚本選択部７５は、アクション、恋愛、アニメーション、ドラマ・・・とジャンルに分類されており、ユーザが操作部３８を用いて所望の欄がクリックされることにより、当該ジャンルの脚本タイトルを表示する。そして、端末装置３０は、操作部３８でユーザ所望の脚本が選択されたとき、ステップＳ６４において、脚本の選択データをサーバ装置１０に送信する。ステップＳ６５において、サーバ装置１０は、この選択データを受信すると、ステップＳ６６において、検索部１５で第３の記憶部１４に構築された脚本データベースを検索し、ステップＳ６７において、検索した脚本データを端末装置３０に送信する。
【手続補正１７】
【補正対象書類名】明細書
【補正対象項目名】０１２８
【補正方法】変更
【補正の内容】
【０１２８】
ステップＳ１２３において、ユーザは、操作部３８を操作することによって、話者一覧表示部９２に表示された中の話者を選択する。すると、端末装置３０は、サーバ装置１０に対して話者の選択データを送信し、サーバ装置１０は、選択データに対応した話者の写真データ等を検索し、端末装置３０に送信する。かくして、端末装置３０の表示部３７に表示された選択画面９１の話者表示部９６には、選択した話者の写真と氏名が表示され、また、台詞表示部９７には、選択した話者の代表的台詞が表示される。
【手続補正１８】
【補正対象書類名】明細書
【補正対象項目名】０１３０
【補正方法】変更
【補正の内容】
【０１３０】
また、サーバ装置１０は、端末装置３０から送信された話者の選択データに応じて、第３の記憶部１４に設けられた脚本データベースを検索して、選択データの示す話者の出演する脚本に関するデータを端末装置３０に送信する。かくして、端末装置３０は、ステップＳ１２５において、作品一覧表示部１０３に、選択した話者が出演する作品を一覧表示する。
【手続補正１９】
【補正対象書類名】明細書
【補正対象項目名】０１４３
【補正方法】変更
【補正の内容】
【０１４３】
ステップＳ１４５において、ユーザは、操作部３８を操作することによって、話者一覧表示部９２に表示された中の話者を選択する。すると、端末装置３０は、サーバ装置１０に対して話者の選択データを送信し、サーバ装置１０は、選択データに対応した話者の写真データ等を検索し、端末装置３０に送信する。かくして、端末装置３０の表示部３７に表示された選択画面９１の話者表示部９６には、選択した話者の写真と氏名が表示され、また、台詞表示部９７には、選択した話者の代表的台詞が表示される。
【手続補正２０】
【補正対象書類名】明細書
【補正対象項目名】０１５１
【補正方法】変更
【補正の内容】
【０１５１】
端末装置３０は、ステップＳ１１３において、受信部１１で購入データに応じた合成音を受信すると、記憶部３３に保存する。そして、ステップＳ１１４において、端末装置３０は、操作部３８により再生操作がなされると、スピーカ３６より合成音を出力する。これにより、ユーザは、例えば自分の作成した脚本を、自分の好きな話者に手軽に朗読させることができる。